(57)【要約】【課題】皮下注射針の挿入の最初と以後の導入に使われ歯科用器具に関するものであり、人の下顎骨と上顎骨の皮質部分に薬物を注入する装置に関するものである。【解決手段】本発明は、シャフトの大部分に沿ったチャネリング溝によって構成され、溝は針先端を曲げるためにそのデリバリー・エンドでホタテ貝状の曲率となる形状であり、ドリルから針先端が外向きに曲がって出る注射が要求された組織に入る。好適な実施形態のバリエーションとしては、溝の延び出す長さに対しての胴回りの減らされたドリル刃の円周をもち、これはバクテリアを封じ込めるように使用される安価なプラスチックカバーとなる。シール材（ｓｅａｌ）は針の先端に浸透して、針を引っ込めたあと、それ自身で孔を塞ぐことができる。【選択図】　図３
2004016404.tif 000002
【特許請求の範囲】
【請求項１】
液体の注入を伴う、人或いは他の種の顎骨の皮質領域のコントロールされた穿孔を容易にする硬質ドリル刃において、
前記ドリル刃は、骨への突入に適した標準的な先端で終端する第一セクションと、該第一セクションに隣接するか又は接触する第二セクションの二つのセクションから構成され、
前記第二セクションの通路直径が、前記第一セクションの通路直径と等しいか又はより小さく、
前記第二セクションは、該第二セクションの長さの大部分を占める長さの開削溝を備え、前記開削溝が、前記接触する第一セクションと離れる方向に、前記ドリル刃の前記第二セクションの軸の表面に沿って延び出すように、直線的態様で位置し、
前記溝は、生きた骨を穿孔するドリリング操作の成功を妨げないように、前記硬質ドリル刃に対して十分に小さいサイズであり、また前記硬質ドリル刃が前記生きた骨のもとの場所にあるとき、前記溝に沿って皮下注射針の先端及び軸とが阻止されずに通過するために、前記硬質ドリル刃に対して十分に大きなサイズであり、
前記溝は、オペレーターのコントロールの下で、前記針の前記先端から液体の注入が実行されるような態様で、前記ドリル刃の外周によって確立された概ね円形の面を通って前記針の前記先端があらわれような方向に、前記第一セクションに一番近い端部で、前記針の先端方向がターンするのに十分なように、ホタテ貝状の曲率で深さが減少され、
前記第一セクションから最も遠い第二セクションの末端は、別体のハブを後で取付けるのに適しており、該別体のハブは、前記溝が該ハブを貫通して延び出すことを妨げない構造であり、
前記別体のハブは、ドリルのチャック又はアダプターと接続するための手段であることを特徴とする硬質ドリル刃。
【請求項２】
前記溝が前記ハブの通過を妨げないように設計された隣接するハブをさらに備え、そこで前記末端は、取り付けた前記隣接するハブとともに製造され、
前記隣接するハブはドリルのチャック又はアダプターと接続するための手段であることを特徴とする請求項１に記載の硬質ドリル刃。
【請求項３】
前記第二セクションの通路直径がほぼ１ミリメートルであり、前記針が最小３０ゲージのサイズである前記溝を備えたことを特徴とする請求項１に記載の硬質ドリル刃。
【請求項４】
前記第一セクションの通路直径より小さい通路直径の前記第二セクションを備え、
さらに第二セクションを包囲する媒体の薄い管状の部分を備え、前記包囲された第二セクションの外周の直径が依然として前記第一セクションの通路直径と等しいかより小さい通路直径であることを特徴とする請求項１に記載の硬質ドリル刃。
【請求項５】
前記包囲媒体は、歯科専門医が過度な力を入れることなく針の鋭利な先端で穿孔できるような柔軟な材料の弾力性のあるプラスチックであり、また、その穿孔が全体的であり、前記弾力性のあるプラスチックから小片が分離しないような材料であることを特徴とする請求項４に記載の硬質ドリル刃。
【請求項６】
前記第二セクションの前記溝の表面の両縁の大部分を、傷を覆うための粘着性の救急ばんそう膏を使って前記表面の両縁へ接着させ、包囲媒体の細長い一辺が十分な深さに減らされ、前記第一セクションの通路直径と同じかやや小さい通路直径以下のレベルに前記包囲媒体の細長い一片の上面があることを特徴とする請求項１に記載の硬質ドリル刃。
【請求項７】
前記包囲媒体は、歯科専門医が過度な力を入れることなく針の鋭利な先端で穿孔できる柔軟な材料の弾力性のあるプラスチックであり、また、その穿孔が全体的で、前記プラスチックから小片が分離しないような材料であることを特徴とする請求項６に記載の硬質ドリル刃。
【請求項８】
前記第二セクションの前記溝が、前記第一セクションの通路直径と同じかより小さい通路直径以内レベルにおいて、硬質ジェルの上面を維持するような深さに当該硬質ジェルで満たされたことを特徴とする請求項１に記載の硬質ドリル刃。
【請求項９】
前記第二セクションの前記溝が、軟質ジェル又は高密度な泡で満たされ、該軟質ジェル又は高密度な泡は、これらと比較してより強力な伸張強度をもつ化学構成物を該ジェル又は泡の露出した表面上に塗布又はコーティングを許容するような十分な剛性を有し、前記化学構成物の上表面は、前記第一セクションの通路直径と等しいかより小さい通路直径以内のレベルに維持されていることを特徴とする請求項１に記載の硬質ドリル刃。
【請求項１０】
前記軟質ジェル或いは高密度な泡が、抗バクテリア性試薬との混合物或いは化合物であることを特徴とする請求項９に記載の硬質ドリル刃。
【請求項１１】
前記第二セクションの前記溝が、前記第一セクションから最も離隔した前記第二セクションの末端を越えて延び出す柔軟な媒体で満たされ、
前記柔軟な媒体は、歯科医が握って、ドリリングの後、前記末端で前記溝からそのまま引き抜くために十分な堅さを備えることを特徴とする請求項１に記載の硬質ドリル刃。
【請求項１２】
前記柔軟な媒体の構造上の完全性は、前記柔軟な媒体の長さに沿って、強いストリングで補強されることを特徴とする請求項１１に記載の硬質ドリル刃。
【請求項１３】
隣接するハブは、前記溝が該隣接するハブを貫通することを妨げないように延長して設計され、前記末端が前記隣接するハブを取り付けて製造され、
前記溝内の前記柔軟な媒体は、前記隣接するハブの末端を越えて広がっている更なる距離まで、前記隣接するハブを貫通することを妨げないように延長され、
前記更なる距離の前記柔軟な媒体の露出した端は、歯科医によって握られ、前記第二セクションから前記隣接するハブを通過して力によって引き抜かれることが可能なものであり、
前記隣接するハブは、アダプター又はドリルのチャックと結合する接続手段であることを特徴とする請求項１１に記載の硬質ドリル刃。
【請求項１４】
前記柔軟な媒体の露出された端は、前記アダプター又はチャックに取り付けられ、前記隣接ハブから前記アダプター又はチャックを除去又は離脱させることが、前記溝から前記隣接ハブを通過して前記柔軟な媒体を力によって除去することの誘因になることを特徴とする請求項１３に記載の硬質ドリル刃。
【請求項１５】
皮質骨に薬物を投与する方法は、次のステップからなる：
前記皮質骨上の歯肉を麻痺させ；
長手方向に設けた開削溝と、アダプター又は直接的に歯科用ドリルのチャックとの接続に適したハブと、を備えたドリル刃で皮質骨を穿孔し；
前記ドリル刃は、骨の穿孔に適した標準先端で終端する第一セクションと、第一セクションに隣接するか又は接触する第二セクションの２つのセクションを備え；
前記第二セクションの通路直径が、前記第一セクションの通路直径と同じか又はそれよりより小さく；
該第二セクションの長さの大部分に、前記接触する第一セクションから離隔する方向に、前記ドリル刃の前記第二セクションの軸の表面に沿って直線状に延び出し；
前記第一セクションに近接する端部において、前記ホタテ貝状の湾曲で深さが減少し；
前記ドリル刃が前記皮質骨を穿孔している間、前記ドリル刃と前記ハブから前記歯科用ドリルを分離し、
皮下注射針の軸及び放出先端、又は中空送り装置を、前記放出先端が前記溝の深さが減少された部分で一方にそらされ、記ドリル刃の外周部によって確立された略円形の面を突き抜けて出現させるようになるまで充分に、前記ハブから前記溝に挿入し、；
患者の要求された組織に薬物を注射し；
前記皮下注射針又は前記中空送り装置を抜き取り、患者に効果のある前記薬物の投与を行うステップ。
【発明の詳細な説明】
【０００１】
【発明の属する技術分野】
この発明は医学の技術分野に関するものであり、より詳しくは、麻酔を要する歯科医術及び関連分野において、内骨（ｉｎｔｒａｏｓｓｅｏｕｓ）の薬物注射を成功に導くための改良技術に関するものである。
【０００２】
【従来の技術】
皮質膜（ｃｏｒｔｉｃａｌ　ｐｌａｔｅ）の下側に薬物をより少なく効果的な量を注入することを可能にした発明によって、歯科産業のための痛みをやわらげる技術は大いに改善された。その中軸となる技術として、初期の穿孔をドリルする方法や器具を記述した特許５１７３０５０が１９９２年にＤｉｌｌｏｎにより取得された。これは、歯科医が麻酔を供給するために、ドリル刃を除去して、皮下注射を伴って通路（ｐａｓｓａｇｅｗａｙ）に再入させる方法である。
【０００３】
しかし、Ｄｉｌｌｏｎによって教示された再注入の失敗を主とする困難性に答えるため、Ｇｉｂｂｓによる５７６２６３９とＷｕによる５７７９７０８がなされた。この２つのＵ．Ｓ．特許は、どちらもドリルに引き続いて内骨中空チャンネル（ｉｎｔｒａ−ｏｓｓｅｏｕｓ　ｈｏｌｌｏｗ　ｃｈａｎｎｅｌ）をその場に残す方法を述べている。この中空チャネル（ｈｏｌｌｏｗ　ｃｈａｎｎｅｌ）は薬物の再注入を目的とするガイダンス・システムとして用いられた。
【０００４】
逆に、それらに対する中空案内スリーブ（ｈｏｌｌｏｗ　ｇｕｉｄａｎｃｅ　ｓｌｅｅｖｅ）の必要性は、Ｄｉｌｌｏｎ以上に出費の嵩むドリルビットであり、わずかな直径の中空器具の破損が起こりがちである危険を生じた。破損のおそれと、それに引き続く、患者から異質な全ての物体を上手く回収することは、他の別々で複雑な内部に詰めるスタイレット又はロッド（ｏｔｈｅｒ　ｓｅｐａｒａｔｅ　ａｎｄ　ｉｎｔｒｉｃａｔｅ　ｉｎｎｅｒ　ｐｌｕｇｇｉｎｇ　ｓｔｙｌｅｔｓｏｒ　ｒｏｄｓ）のように、ＧｉｂｂｓとＷｕによって教示された提案により、かえって問題が複雑化される。これらの最近の道具は、シャフト全体に亘って強度を高くしたものであり、ドリリングの間、骨片と他の有機物質の逆流（ｂａｃｋｆｌｏｗ）を阻止するものである。
【０００５】
更に、先行技術として、ＫｗａｎによるＵ．Ｓ．特許６１３５７６９は、入口先端（ｅｎｔｒｙ　ｔｉｐ）から短い距離を置いたドリル・シャフトに位置する横穴を備えた中空ドリル・ビットを提示している。インナー・スタイレットが不要なＧｉｂｂｓとＷｕに対して、ここに主張する優位性は、製造コストを減らすことである。また、ドリルしたあと、インナー・スタイレットを取り除くステップが省略されることも優位である。
Ｋｗａｎ特許の欠点は、次の２つの考察によって生じるが、これはドリル刃が破損するという事実からきている。
１．インナー・スタイレットを有していないＧｉｂｂｓとＷｕに対し、Ｋｗａｎドリル・ビットの全体的な強さは、比較的に劣っている。
２．ドリル・ビットそのものの中空円形壁の貫通孔の導入は、ホット・スポットな場所をつくる。そのホット・スポットは、その物理的性質により、ドリルビットに沿った穴をあけない位置よりトルク・ストレス（ｔｏｒｑｕｅ　ｓｔｒｅｓｓ）に弱い。かりに破損が起こるならば、破損した先端セクションを回収できない可能性が増大する。これは、内部の柔らかい海綿皮質骨組織に達するために、穴を開けたセクションが堅い骨の内壁をクリアするように、穴を開けたセクションが機能的な深さに進まなければならないからである。
チャンネル・ドリル（ｃｈａｎｎｅｌ　ｄｒｉｌｌ）を利用している全ての特許に対するもうひとつの欠点は、患者の下部組織へのバクテリアの望ましくない進入である。操作方法においては、歯科処置が続いている間、そのドリルが顎骨に残されることが要求される。そして、このような過程においては、空気媒体又は水媒介により、生きている微生物の、少ないが、かなりのレベルの侵入が可能となる。
【０００６】
【発明が解決しようとする課題】
本発明の目的は、中空ドリルビットを使用せずに皮質部分（ｃｏｒｔｉｃａｌ　ｐｌａｔｅ）を抜けるガイダンス・チャンネル（ｇｕｉｄａｎｃｅ　ｃｈａｎｎｅｌ）を提供することであり、破損の危険度を少なくすることである。
更に、本発明の目的としては、固いドリリング先端がなす高速突入の提供によって不快感を減少させる、皮質部分（ｃｏｒｔｉｃａｌ　ｐｌａｔｅ）を抜けるガイダンス・チャンネルを提供することである。
更に、本発明の目的としては、安価な製造コストの皮質部分を抜けるガイダンス・チャンネルを提供することである。
更に、本発明の目的としては、歯科医にとって使用方法を示すステップの簡素化されたリストを備えた皮質部分を抜けるガイダンス・チャンネルを提供することである。
更に、本発明の目的としては、ドリルが内部組織に残っている間、内部組織に空気生成或いは水生成バクテリアの進入を減少させる、皮質部分を抜けるガイダンス・チャンネルを提供することである。
本発明の目的と種々の目的及び効果は、特許請求の範囲と次に参照する本発明の好適な実施形態に対する以下の説明と添付図面から当業者には明確になるであろう。
【０００７】
【課題を解決するための手段】
以下に、発明の概要を説明する。
本発明は、
液体の注入を伴う、人或いは他の種の顎骨の皮質領域（ｃｏｒｔｉｃａｌ　ａｒｅａ）のコントロールされた穿孔（ｐｅｒｆｏｒａｔｉｏｎ）を容易にする硬質ドリル刃（ｓｏｌｉｄ　ｄｒｉｌｌ　ｂｉｔ）において、
前記ドリル刃は、骨への突入（ｐｅｎｅｔｒａｔｉｏｎ）に適した標準的な先端（ｃｈｉｐ）で終端する第一セクションと、該第一セクションに隣接（ａｂｕｔ）するか又は接触する（ｃｏｎｔｉｇｕｏｕｓ）第二セクションの二つのセクションから構成され、
前記第二セクションの通路直径が、前記第一セクションの通路直径と等しいか又はより小さく、
前記第二セクションは、該第二セクションの長さの大部分を占める長さの開削溝を備え、前記開削溝が、前記接触する第一セクションと離れる方向に、前記ドリル刃の前記第二セクションの軸の表面に沿って延び出すように、直線的態様で位置し、
前記溝は、生きた骨を穿孔するドリリング操作の成功を妨げないように、前記硬質ドリル刃に対して十分に小さいサイズであり、また前記硬質ドリル刃が前記生きた骨のもとの場所にあるとき、前記溝に沿って皮下注射針の先端及び軸とが阻止されずに通過するために、前記硬質ドリル刃に対して十分に大きなサイズであり、
前記溝は、オペレーターのコントロールの下で、前記針の前記先端から液体の注入が実行されるような態様で、前記ドリル刃の外周によって確立された概ね円形の面を通って前記針の前記先端があらわれような方向に、前記第一セクションに一番近い端部で、前記針の先端方向がターンするのに十分なように、ホタテ貝状の曲率（ｉｎ　ａ　ｓｃａｌｌｏｐｅｄ　ｃｕｒｖａｔｕｒｅ）で深さが減少され、
前記第一セクションから最も遠い第二セクションの末端は、別体のハブ（ｓｅｐａｒａｔｅ　ｈｕｂ）を後で取付けるのに適しており、該別体のハブは、前記溝が該ハブを貫通して延び出すことを妨げない構造であり（ｔｏ　ｃｏｎｔｉｎｕｅ　ｕｎｉｍｐｅｄｅｄ）、
前記別体のハブは、ドリルのチャック又はアダプターと接続するための手段であることを特徴とする硬質ドリル刃である。
【０００８】
前記溝が前記ハブの通過を妨げないように設計された隣接するハブをさらに備え、そこで前記末端は、取り付けた前記隣接するハブとともに製造され、
前記隣接するハブはドリルのチャック又はアダプターと接続するための手段であることを特徴とすることが好ましい。
【０００９】
前記第二セクションの通路直径がほぼ１ミリメートルであり、前記針が最小３０ゲージのサイズである前記溝を備えたことを特徴とすることが好ましい。
【００１０】
前記第一セクションの通路直径より小さい通路直径の前記第二セクションを備え、
さらに第二セクションを包囲する媒体の薄い管状の部分を備え、前記包囲された第二セクションの外周の直径が依然として前記第一セクションの通路直径と等しいかより小さい通路直径であることを特徴とすることが好ましい。
【００１１】
前記包囲媒体は、歯科専門医が過度な力を入れることなく針の鋭利な先端で穿孔できるような柔軟な材料の弾力性のあるプラスチックであり、また、その突入（ｐｅｎｅｔｒａｔｉｏｎ）が全体的（ｈｏｌｉｓｔｉｃ）であり、前記弾力性のあるプラスチックから小片（ｆｒａｇｍｅｎｔａｒｙ　ｐａｒｔｉｃｌｅｓ）が分離しないような材料であることを特徴とすることが好ましい。
【００１２】
前記第二セクションの前記溝の表面の両縁の大部分を、傷を覆うための粘着性救急ばんそう膏の態様で、包囲媒体の細長い一辺（ｓｔｒｉｐ）が前記表面の両縁へ接着させるように十分、深さが減らされ、前記包囲媒体の細長い一片の上面が、前記第一セクションの通路直径と同じかやや小さい通路直径以内のレベルにあることを特徴とすることが好ましい。
【００１３】
前記包囲媒体は、歯科専門医が過度な力を入れることなく針の鋭利な先端で穿孔できる柔軟な材料の弾力性のあるプラスチックであり、また、その穿孔が全体的で、前記プラスチックから小片が分離しないような材料であることが好ましい。
【００１４】
前記第二セクションの前記溝が、前記第一セクションの通路直径と同じかより小さい通路直径以内レベルにおいて、硬質ジェルの上面を維持するような深さに当該硬質ジェルで満たされたことを特徴とすることが好ましい。
【００１５】
前記第二セクションの前記溝が、軟質ジェル又は高密度な泡で満たされ、該軟質ジェル又は高密度な泡は、これらと比較してより強力な伸張強度をもつ化学構成物を該ジェル又は泡の露出した表面上に塗布又はコーティングを許容するような十分な剛性（ｒｅｇｉｄｉｔｙ）を有し、前記化学構成物の上表面は、前記第一セクションの通路直径と等しいかより小さい通路直径以内のレベルに維持されていることを特徴とすることが好ましい。
【００１６】
前記軟質ジェル或いは高密度な泡が、抗バクテリア試薬との混合物或いは化合物であることを特徴とすることが好ましい。
【００１７】
前記第二セクションの前記溝が、前記第一セクションから最も離隔した前記第二セクションの末端を越えて延び出す柔軟な媒体で満たされ、
前記柔軟な媒体は、歯科医が握って、ドリリングの後、前記末端で前記溝からそのまま引き抜くために十分な堅さを備えることを特徴とすることが好ましい。
【００１８】
前記柔軟な媒体の構造上の完全性は、前記柔軟な媒体の長さに沿って、強いストリングで補強されることを特徴とすることが好ましい。
【００１９】
隣接するハブ（ｃｏｎｔｉｇｕｏｕｓ　ｈｕｂ）は、前記溝が該隣接するハブを貫通することを妨げないように延長して設計され、前記末端が前記隣接するハブを取り付けて製造され、
前記溝内の前記柔軟な媒体は、前記隣接するハブの末端を越えて広がっている更なる距離まで、前記隣接するハブを貫通することを妨げないように延長され、
前記更なる距離の前記柔軟な媒体の露出した端は、歯科医によって握られ、前記第二セクションから前記隣接するハブを通過して力によって引き抜かれることが可能なものであり、
前記隣接するハブは、アダプター又はドリルのチャックと結合する接続手段であることを特徴とすることが好ましい。
【００２０】
前記柔軟な媒体の露出された端は、前記アダプター又はチャックに取り付けられ、前記隣接ハブから前記アダプター又はチャックを除去又は離脱させることが、前記溝から前記隣接ハブを通過して前記柔軟な媒体を力によって除去することの誘因になることを特徴とすることが好ましい。
【００２１】
本発明は、皮質骨（ｃｏｒｔｉｃａｌ　ｂｏｎｅ）に薬物を投与する方法は、次のステップからなる：
前記皮質骨の上の歯肉（ｇｉｎｇｉｖａ）を麻痺させ；
長手方向に設けた開削溝と、アダプター又は直接的に歯科用ドリルのチャックとの接続に適したハブと、を備えたドリル刃で皮質骨を穿孔し；
前記ドリル刃は、骨の穿孔に適した標準先端で終端する第一セクションと、第一セクションに隣接するか又は接触する第二セクションの２つのセクションを備え；
前記第二セクションの通路直径が、前記第一セクションの通路直径と同じか又はそれよりより小さく；
該第二セクションの長さの大部分に、前記接触する第一セクションから離隔する方向に、前記ドリル刃の前記第二セクションの軸の表面に沿って直線状に延び出し；
前記第一セクションに近接する端部において、前記ホタテ貝状の湾曲（ｉｎ　ａ　ｓｃａｌｌｏｐｅｄ　ｃｕｒｖａｔｕｒｅ）で深さが減少し；
前記ドリル刃が前記皮質骨を穿孔している間、前記ドリル刃と前記ハブから前記歯科用ドリルを分離し、
皮下注射針（ｈｙｐｏｄｅｒｍｉｃ　ｎｅｅｄｌｅ）の軸及び放出先端（ｄｅｌｉｖｅｒｙ　ｔｉｐ）、又は中空送り装置（ｈｏｌｌｏｗ　ｄｅｌｉｖｅｒｙ　ｄｅｖｉｃｅ）を、前記放出先端が前記溝の深さが減少された部分で一方にそらされ（ｄｅｆｌｅｃｔ）、記ドリル刃の外周部によって確立された略円形の面を突き抜けて出現させる（ｅｍｅｒｇｅ）ようになるまで充分に、前記ハブから前記溝に挿入し；
患者の要求された組織（ｔｉｓｓｕｅ）に薬物を注射し；
前記皮下注射針又は前記中空送り装置を抜き取り、患者に効果のある前記薬物の投与を行うステップである。
【００２２】
硬質ドリル刃（ｓｏｌｉｄ　ｄｒｉｌｌ　ｂｉｔ）は、ドリル刃（ｄｒｉｌｌ　ｂｉｔ）が骨の中に残る間、麻酔の伝達を許す十分な長さの軸に沿った機能的な溝（ｇｒｏｏｖｅ）又はキャニオン（ｃａｎｙｏｎ）をもつことができる。溝（ｇｒｏｏｖｅ）は、針の先端（ｃｈｉｐ）が曲げるように、溝の端部で深さがホタテ貝状に（ｓｃａｌｌｏｐｅｄ）に減らされ、ドリル刃から針の先端を外に出し、要求された組織の中にそらして入れる。
【００２３】
好適な実施形態では、硬質スチール製のドリル刃は、旋盤で高速回転され、ダイアモンド研磨用具で、スチールの薄い皮が磨かれる（ｐｏｌｉｓｈ　ｏｆｆ）。その結果、切削が行われないドリル先端に近い点まで、そのシャフトに沿って、均一な周囲を持つ。本質的には、ドリル刃は、ヘッドと長いネックをもち、ネックはヘッドの周囲とほぼ同じ大きさの径まで周囲が縮小される。
【００２４】
次に、溝（ｇｒｏｏｖｅ）が典型的な薬剤注射器の案内チャンネル（ｇｕｉｄａｎｃｅ　ｃｈａｎｎｅｌ）をなすに十分な長さのシャフトになるようにカットされる。先端に近い溝の端は底に沿ってカーブしており、ホタテ貝状の曲率で溝の深さを少なくしている。ドリル刃が注射器の挿入射出鋳型成形機でプラスチックハブを取付けて製作される前に、ポリエチレン或いはポリプロピレンからなるプラスチックでできた管状の薄い筒（ｓｌｅｅｖｅ）が、ドリル・ビットの削られた部分の上に合わせられている。削られていない部分のドリル・ビットの円周は、ポリエチレン部分の円周とほぼ同じかやや大きい。このようにドリル・ビットは、使用するときは、応力なしでポリエチレン層に穿孔及び突入したりする。
【００２５】
歯科ハンドピース（ｈａｎｄ　ｐｉｅｃｅ）は、ドリル刃のハブにつないだハブ又はアダプターいずれかを握るチャック（ｃｈｕｃｋ）を備えるように設計されたドリルである。ドリル刃は皮質膜（ｃｏｒｔｉｃａｌ　ｐｌａｔｅ）に穴をあけることができて、ハンドピース（ｈａｎｄ　ｐｉｅｃｅ）から取り外されることができる。引き続いて、ハンドピース（ｈａｎｄ　ｐｉｅｃｅ）は除去され、典型的な薬剤注射針により、麻痺させる液体薬剤を導入させるため、じょうご型の開口（ｆｕｎｎｅｌ　ｏｐｅｎｉｎｇ）が溝に対してさらされる。カーブした溝により、挿入された針の柔軟な先端は、ドリリング先端近くで最初にポリエチレン皮を刺し貫き、そして、顎の内部の要求された部位に液体を注射させるような態様で、溝の中で、上方に曲げられる。
【００２６】
発明の目的又は薬剤伝達の意図に不可欠ではないけれども、溝をカバーするために選ばれたポリエチレン或いは他のプラスチックの注意深い選択又によって、殺菌した針が除去されると、穿孔されたプラスチックがそれ自身で穴を閉じることができることを理解すべきである。これは、ドリルがその場所に残されている間、内部組織に空気発生性又は水発生性のバクテリアが侵入することを効果的に阻止するか、又は減らすことができる。全体的（ｈｏｌｉｓｔｉｃ）、或いは、こなごなにならないバリア（ｓｈａｔｔｅｒ　ｐｒｏｏｆ　ｂａｒｒｉｅｒ）が要求されるので、ポリエチレンのようなゴム状のカーボン合成物の使用が挙げられる。これは、針の先端の通過に伴うプラスチックの断裂が、バリア・プラスチックそれ自身から大きい破片（ｌａｒｇｅ　ｆｒａｇｍｅｎｔａｒｙ　ｐａｒｔｉｃｌｅｓ）が分離することなしで、容易になることを意味する。
【００２７】
【発明の実施の形態】
図１は、発明の好適な実施形態を詳述している図面であり、従来のドリル刃１が、ドリル刃（ｄｒｉｌｌ　ｂｉｔ）それ自身のネック・シャフト３の開削溝（ｅｘｃａｖａｔｅｄｇｒｏｏｖｅ）２の先頭部で動作することを示す。このネック・シャフト３は、透明プラスチック４の薄い層で囲まれている。この透明プラスチック４は、図２及び図３に示す通り、プラスチック・ハブ５に開設された、じょうご型の入口（ｆｕｎｎｅｌ　ｅｎｔｒａｎｃｅ）６に入る皮下注射針８で穴を開けられる。ハブ５はネック・シャフト３の末端を包囲するように射出成形されて製造されたものであり、携帯のデンタル・ドリルに連結している典型的なアダプターのアタッチメントとして適している。
【００２８】
図２は発明の好適な実施形態の断面図である。ネック・シャフト３は薄いプラスチック筒４で囲まれている。開削部分（ｅｘｃａｖａｔｅｄ　ｐｏｔｉｏｎ）２によって、皮下注射針８がキャニオン（ｃａｎｙｏｎ）の下をスムーズに通過するようになっている。開削溝２の断面は一例を示すものであり、針８を収容できる形状及び構造である。図２では溝２断面は変形した台形形状であり、底の曲率が小さく、側部は針８を抱え込むように一対の膨らみが形成される。つまり、針８と溝２表面の間には、底部の両側に略月形状の隙間が形成される。目盛り表示として、グリッド９が１ミリメートルにわたって示されており、それは２４分割され、この具体例では１目盛りは２４分の１ミリメートルである。グリッド９は、プラスチック４の厚みを示す。このスケールで、注射針８は直径１ミリメートルの３分の１である３０ゲージの標準サイズである。矢印１０は、図３の中心部分を指しており、視覚的に断面図のその場所を示している。
【００２９】
図３は発明の好適な実施形態の垂直断面図であり、溝（ｇｒｏｏｖｅ）２のホタテ貝状の端部の特徴が明らかである。じょうご型の開口（ｆｕｎｎｅｌ　ｏｐｅｎｉｎｇ）６で、ハブ（ｈｕｂ）５に入る針８が、ドリル刃の切開部分２に適切に誘導させるため、整列入口（ａｌｉｇｎｍｅｎｔ　ｐｏｒｔａｌ）７に導かれる。針８の外側に湾曲した先端が、麻酔の適当な放散を可能にするために、プラスチック４に穴を開ける。図３においてドリル刃の相対的な長さは、全ての特徴が表されるように、短縮されたものである。そして、この図面の点線はこのことを示す。
【００３０】
本実施形態は、図面において記載されたサイズに限定されるものではなく、より小さい或いはより大きいドリル・ビットや針経路が要求されたように設計され得ることは明らかである。上記で説明した３０ゲージよりも小さい特製ゲージ針も利用できるので、便利である。この場合、ドリル刃は、大きなゲージ寸法を示す実施例に比して、後に破損の危険度の増加を伴うが、１ミリメートルの半分より少なくすることさえできる。
【００３１】
実施形態のバリエーションとしては、プラスチック・スリーブを各種の適宜選択された厚みとなるような設計、又は実際には図面に描かれたものより相対的に大きいであろうハブのような付属品（ａｐｐｅｎｄａｇｅｓ）の設計に適用される。ハブは、裸のドリル・ビットにパチンと取付ける（ｓｎａｐ　ｆｉｔ）、又は押圧式ロックアセンブリ（ｐｕｓｈ−ｏｎ　ｌｏｃｋｉｎｇ　ａｓｓｅｍｂｌｙ）とするために、別に製造されることができる。このハブは、ドリル・ビットをデンタル・ハンド・ピースにつなぐだけでなく、歯科医が溝やキャニオンへの狭い入口にあてるより広めの開口を確保する導入口（ｇｕｉｄａｎｃｅ　ｐｏｒｔａｌ）としても機能している。
ハブをアダプター及び／又はチャック（ｃｈｕｃｋｓ）に取付ける多数の方法が従来の技術にあるが、この明細書では詳述しない。
【００３２】
いくつかの実施形態において、磨くことによってドリルの胴回り（ｇｉｒｔｈ）を減らすことは、避けることができたステップである点に留意する必要がある。他のバリエーションとしては、溝をドリルのシャフトに沿って切っておいて、皮質部分（ｃｏｒｔｉｃａｌ　ｐｌａｔｅ）を通過するドリルの突入に耐えられるに十分な硬さのジェル（ｇｅｌ）で溝を満たすものである。ドリル刃が骨のなかにある間、そのジェルは薬剤を運ぶ注射針の通路に浸透し、既に述べたバクテリアの侵入を減らすに十分なように、それ自身で塞ぐことができる（ｃｌｏｓｅ　ｂａｃｋ　ｏｎ）。硬質ジェル（ｈａｒｄｅｎｄ　ｇｅｌ）という言葉は、発明の意図にしたがって、全ての類似した化学成分を捉える全てを含んでいる用語として使われる。
【００３３】
このバリエーションとして、非常に軟質のジェル又は高密度の発泡体（ｄｅｎｓｅ　ｆｏａｍ）が使用できること、そしてそれは、溝の中に、急速固化型液体の層として塗布されると、これが乾いて仮想プラスチック・殻（ｓｈｅｌｌ）のようになる。この脆くない殻（ｎｏｎ−ｂｒｉｔｔｌｅ　ｓｈｅｌｌ）は、薬物伝達のため、注射針を上方向に押し出させる（ｔｈｒｕｓｔ）には、まだ傷つき易い（ｖｕｌｎｅｒａｂｌｅ）ものと考えられる。そこで、ジェルや泡（ｆｏａｍ）に強力な抗バクテリア性の試薬を混ぜることができる。
この切削の減少のバリエーションは、救急ばんそう膏（ｂａｎｄａｉｄ）のような粘着性のプラスチックの一片が、空洞（ｃａｖｉｔａｔｉｏｎ）をふさいで分離させるために、溝の長さに沿って貼り付けられるものであって、溝のカットを必要とし（ｅｎｔａｉｌ　ｃｕｔｔｉｎｇ）、単に外側のエッジを磨く（ｐｏｌｉｓｈ）ことを伴うものである。
【００３４】
他の製造方法は、ドリルのシャフトに隣接する溝の表面をコーティングするか又はシールする間、溝を満たすための格納式のピン（ｒｅｔｒａｃｔａｂｌｅ　ｐｉｎ）を使うことができる。しかしこれは費用のかかる方法とみなされ、関連する実施形態にコスト面で劣る可能性がある。
【００３５】
もう一つのバリエーションは、ドリリングの過程の後、溝から取り出し可能な媒体（ｍｅｄｉａ）を使用するものである。これは歯科医にとって余分のステップを含む方法である。この媒体（ｍｅｄｉａ）は、柔軟であるけれども、ドリル刃自身の長さを越えて、ぶらさがる（ｄａｎｇｌｉｎｇ）に充分な長さとした、ストリング（ｓｔｒｉｎｇ）或いはタフなロープ（ｔｏｕｇｈ　ｒｏｐｅ）の周囲に、溝の中で固めることができる。整列入口（ａｌｉｇｎｍｅｎｔ　ｐｏｒｔａｌ）７の直径が、この媒体の通路直径より大きいような態様において、図３に示すハブ５が媒体の周囲に形成される。ドリリングを終えハンドピースを伴ったアダプターが取り外され後、歯科医は、ぶらさがっている端を握って、じょうご型の開口（ｆｕｎｎｅｌ　ｏｐｅｎｉｎｇ）６を通って、内部の溝媒体（ｇｒｏｏｖｅ　ｍｅｄｉａ）を引き抜くことができる。余分な手順を省くために、高価なもうひとつのバリエーションの具体例は、アダプターを媒体（ｍｅｄｉａ）の端に付けておくことである。ドリリングの後、ハンドピースとアダプターを取り去ることで、内部の溝媒体（ｇｒｏｏｖｅ　ｍｅｄｉａ）が一度に引き抜かれる。これは、要求された結果を提供する。
溝をシール又は硬質ジェルで充填することなく、溝を切りドリルを使うことは本発明で熟考されているが、主として衛生面の理由から奨励されない。骨はそれ自体が注射針の挿入のための包み込み（ｃｏｎｔａｉｎｍｅｎｔ）の二次的な半分（ｓｅｃｏｎｄ　ｈａｌｆ）として役立つ。
【００３６】
本発明の実施形態は、歯科手順においての援助として示されるけれども、本発明は、人間或いは他の種のために骨の穿孔（ｐｅｒｆｏｒａｔｉｏｎ）を要する他の医療分野における使用が可能である。
本発明は上述の実施形態に限定されるものではなく、その技術の範囲において、多くの改良が可能である。この明細書は、あらゆる改作物、使用、或いは上述した本発明の原理を適用したものをカバーするものであり、この技術的範囲における発展物も含んでおり、ここに付け加えた請求の範囲に含まれることになる。
【図面の簡単な説明】
【図１】本発明の実施形態のドリル刃（ｄｒｉｌｌ　ｂｉｔ）を説明する斜視図である。
【図２】本発明の実施形態のドリル刃（ｄｒｉｌｌ　ｂｉｔ）の断面図である。
【図３】本発明の実施形態のドリル刃（ｄｒｉｌｌ　ｂｉｔ）の水平断面図である。
【符号の説明】
１…ドリル刃（ｄｒｉｌｌ　ｂｉｔ）
２…開削溝（ｅｘｃａｖａｔｅｄ　ｇｒｏｏｖｅ）
３…ネック・シャフト（ｎｅｃｋ　ｓｈａｆｔ）
４…透明プラスチック（ｔｒａｎｓｐａｒｅｎｔ　ｐｌａｓｔｉｃ）
５…プラスチック・ハブ（ｐｌａｓｔｉｃ　ｈｕｂ）
６…じょうご型開口（ｆｕｎｎｅｌ　ｏｐｅｎｉｎｇ）
７…整列入口（ａｌｉｇｎｍｅｎｔ　ｐｏｒｔａｌ）
８…皮下注射針（ｈｙｐｏｄｅｒｍｉｃ　ｎｅｅｄｌｅ）
【図１】
2004016404.tif 000003
【図２】
2004016404.tif 000004
【図３】
2004016404.tif 000005